(57)【特許請求の範囲】
【請求項１】
フレキシブル回路基板に複数のスイッチを一列に並べて形成し、各スイッチを押圧することでそのスイッチのオンオフを操作する構造の可撓性を有するシート状スイッチと、
上面に前記シート状スイッチを載置する載置部を有するケースと、ケースの載置部の所定位置に取り付けられてケースに対して上下動する第１操作体と、第１操作体の下面側に設置されてケースに対して上下動する第２操作体と、第２操作体の上面の前記第１操作体に設けた押圧部に対向する位置に設置される第１スイッチと、第２操作体の下面に設けた押圧部に対向する位置に設置される第２スイッチとを有してなる二段スイッチと、を具備し、
前記シート状スイッチの押圧を介して前記二段スイッチを押圧操作することを特徴とする複合スイッチ。
【請求項２】
前記第１操作体は、その両側の載置部の部分と可撓性連結アームによって連結されてケースと一体成形されており、
前記第２操作体は、前記ケースの下面側に設けた操作体収納部内に収納して設置されていることを特徴とする請求項１に記載の複合スイッチ。
【請求項３】
前記複合スイッチは、前記ケース上に設置される外装ケースを具備し、
この外装ケースは、前記シート状スイッチ上に取り付けた可撓性を有する化粧シートを露出する開口部を有し、
一方前記ケースは、その上面から前記載置部の部分を突出しており、この突出している載置部を前記外装ケースの開口部内に挿入することで前記化粧シートと外装ケースの表面とを略同一面としたことを特徴とする請求項１又は２に記載の複合スイッチ。
【発明の詳細な説明】
【技術分野】
【０００１】
本発明は、複数のスイッチを一列に並べて配置したシート状スイッチの下部に、シート状スイッチの上から押圧することで操作できる二段スイッチを設置してなる複合スイッチに関するものである。
【背景技術】
【０００２】
デジタルカメラ等の操作スイッチとして、表面が平面状であってその表面に触れた指をその表面に沿って平行に直線方向に移動することで移動した位置に応じてカメラのズーム操作を行い、またその表面の所定位置をその表面に垂直に押圧することでピント合わせを行い、さらに押し込むことでシャッターをオンする構造のものが要望されている。つまり複数のスイッチを一列に並べて配置したシート状スイッチの下部に、シート状スイッチの上から押圧することで操作できる二段スイッチを設置してなる複合スイッチが要望されている。
【０００３】
そして従来、前記シート状スイッチとして、例えば特許文献１に示すように、２枚のフレキシブル回路基板にそれぞれ設けたスイッチ接点を隙間を介して対向させてなるいわゆるメンブレンスイッチを複数一列に並べて配置した構造のものが開示されている。
【０００４】
しかしながら特許文献１のシート状スイッチでは、前記二段スイッチは設置されておらず、また単にこのシート状スイッチの裏面側に従来からある二段スイッチを設置しただけでは、構造が複雑になるばかりか、厚みの厚いものとなり、薄型化・小型化が図れず、さらに二段スイッチを押圧した際の押圧感覚も良好にならない恐れがある。また特許文献１のシート状スイッチの場合、その表面に弾性部材（弾性部材２）を取り付けているので、この点からもその厚みが厚くなってしまう。
【特許文献１】特開２００５−３２５３４号公報
【発明の開示】
【発明が解決しようとする課題】
【０００５】
本発明は上述の点に鑑みてなされたものでありその目的は、複数のスイッチを一列に並べて配置したシート状スイッチの下部に、シート状スイッチの上から押圧することで操作できる二段スイッチを設置してなる構造であって、しかもその構造が簡単で小型化・薄型化が図れ、さらに各スイッチの押圧操作感覚の良い複合スイッチを提供することにある。
【課題を解決するための手段】
【０００６】
本願請求項１に記載の発明は、フレキシブル回路基板に複数のスイッチを一列に並べて形成し、各スイッチを押圧することでそのスイッチのオンオフを操作する構造の可撓性を有するシート状スイッチと、上面に前記シート状スイッチを載置する載置部を有するケースと、ケースの載置部の所定位置に取り付けられてケースに対して上下動する第１操作体と、第１操作体の下面側に設置されてケースに対して上下動する第２操作体と、第２操作体の上面の前記第１操作体に設けた押圧部に対向する位置に設置される第１スイッチと、第２操作体の下面に設けた押圧部に対向する位置に設置される第２スイッチとを有してなる二段スイッチと、を具備し、前記シート状スイッチの押圧を介して前記二段スイッチを押圧操作することを特徴とする複合スイッチにある。
【０００７】
請求項２に記載の発明は、前記第１操作体は、その両側の載置部の部分と可撓性連結アームによって連結されてケースと一体成形されており、前記第２操作体は、前記ケースの下面側に設けた操作体収納部内に収納して設置されていることを特徴とする請求項１に記載の複合スイッチにある。
【０００８】
本願請求項３に記載の発明は、前記複合スイッチは、前記ケース上に設置される外装ケースを具備し、この外装ケースは、前記シート状スイッチ上に取り付けた可撓性を有する化粧シートを露出する開口部を有し、一方前記ケースは、その上面から前記載置部の部分を突出しており、この突出している載置部を前記外装ケースの開口部内に挿入することで前記化粧シートと外装ケースの表面とを略同一面としたことを特徴とする請求項１又は２に記載の複合スイッチにある。
【発明の効果】
【０００９】
請求項１に記載の発明によれば、複数のスイッチを一列に並べて配置したシート状スイッチの下部に、シート状スイッチの上から押圧することで操作できる二段スイッチを設置してなる構造の複合スイッチを提供することができる。しかもシート状スイッチを載置するケースに第１操作体と第２操作体とを取り付けて二段スイッチを構成したので、構造が簡単で、小型化・薄型化が図れる。また第１，第２操作体によってそれぞれ第１，第２スイッチを押圧するので、二段スイッチを構成する各スイッチの押圧操作感覚が良好になる。
【００１０】
請求項２に記載の発明によれば、第１操作体をケースと一体成形によって形成したので、部品点数が減少し、またケースへの第１操作体の取付作業が不要になり組み立てが容易になる。また第１操作体はその両側の載置部の部分に連結されているので、第１操作体を押圧した際に傾くことがなくこれを容易且つ確実に下降させることができる。また第２操作体はケースの操作体収納部内に収納されるので、厚みの薄型化が図れる。
【００１１】
請求項３に記載の発明によれば、ケースの上面から載置部を突出させこの載置部を外装ケースの開口部内に挿入することとしたので、容易に化粧シートと外装ケースの表面とを略同一面にすることができ、デザイン上良好になるばかりか、化粧シートの表面に容易に触れてこれを操作することができるようになる。
【発明を実施するための最良の形態】
【００１２】
以下、本発明の実施形態を図面を参照して詳細に説明する。図１は本発明の１実施形態にかかる複合スイッチ１を上側から見た斜視図、図２は複合スイッチ１を下側から見た斜視図、図３は複合スイッチ１（その上側の部品）を上側から見た分解斜視図、図４は複合スイッチ１（その下側の部品）を上側から見た分解斜視図、図５は複合スイッチ１（その上側の部品）を下側から見た分解斜視図、図６は複合スイッチ１（その下側の部品）を下側から見た分解斜視図である。これらの図に示すように複合スイッチ１は、取付部材（以下「取付板」という）１０上に、第２スイッチ板３０と、第２操作体５０と、第１スイッチ板８０と、ケース１００と、シート状スイッチ１４０と、化粧シート１６０と、外装ケース１８０とを設置して構成されている。以下各構成部品について説明する。なお以下の説明において、「上」とは第２スイッチ板３０からシート状スイッチ１４０を見る方向を言い、「下」とはその逆方向を言うものとする。
【００１３】
取付板１０は、硬質の板部材（この実施形態では金属板（具体的にはステンレス板）を用いているが、合成樹脂板等の他の材料を用いても良い）を、略長方形状に形成して構成されており、その所定位置に一対のケース取付穴１１と、一対の外装ケース取付孔１３とを形成して構成されている。
【００１４】
第２スイッチ板３０は、略長方形状の可撓性を有するフレキシブル回路基板３１のほぼ中央に第２スイッチ３３を設置し、また両端近傍の前記取付板１０の各ケース取付孔１１に対向する位置にそれぞれ取付部挿通孔３５を設け、またその外周辺の３箇所にそれぞれ帯状の第１，第２，第３引出部３７，３９，４１を接続して構成されている。第２スイッチ３３はフレキシブル回路基板３１上に形成した図示しない一対の接点パターン上に弾性板（この実施形態では弾性金属板）を略ドーム形状に形成した反転板３３ａを設置し、その際一方の接点パターンのみに反転板３３ａの外周部分を接続し、また反転板３３ａの中央真下にもう一方の接点パターンを配置し、反転板３３ａを押圧して反転させた際に反転板３３ａの中央部分が前記もう一方の接点パターンに当接することで両接点パターン間がオンする構造に構成されている。第１引出部３７は複合スイッチ１の電気信号を外部の電気回路に引き出すものであり、第２引出部３９は第１スイッチ板８０と接続するものであり、第３引出部４１はシート状スイッチ１４０（下記するフレキシブル回路基板１４３）と接続するものである。第２引出部３９にはさらにその側部に接続されてシート状スイッチ１４０（下記するフレキシブル回路基板１４１）と接続される帯状の第４引出部４５が接続されている。
【００１５】
第２操作体５０は合成樹脂を略矩形状に成形してなる一体成形品であり、この実施形態ではＡＢＳ樹脂（他の各種合成樹脂であってもよい）を用いている。第２操作体５０は略平板矩形状の載置兼駆動部５１と矩形状の取付部５３とを、一対の並列に設置した薄板帯状の可撓性連結アーム５５によって連結して構成されている。載置兼駆動部５１の下面のほぼ中央には小突起からなる押圧部５７が設けられており、また取付部５３には上下に貫通する一対の取付孔５７が設けられている。取付部５３下面の両取付孔５７の周囲の部分には凹部５９が設けられている。第２操作体５０を構成する載置兼駆動部５１と取付部５３と可撓性連結アーム５５の各上面は同一面（平面）となっている。
【００１６】
第１スイッチ板８０はフレキシブル回路基板８１を前記第２操作体５０の外形形状とほぼ同一外形寸法形状の矩形状に形成し、そのほぼ中央に第１スイッチ８３を設け、またその一端近傍の前記第２操作体５０の一対の取付孔５７に対向する位置に一対の挿通孔８５を設け、さらにその外周辺に帯状の前記第２引出部３９を接続して構成されている。第１スイッチ８３は前記第２スイッチ３３と同様に、フレキシブル回路基板８１上に形成した図示しない一対の接点パターン上に弾性板（この実施形態では弾性金属板）を略ドーム形状に形成した反転板８３ａを設置し、その際一方の接点パターンのみに反転板８３ａの外周部分を接続し、また反転板８３ａの中央真下にもう一方の接点パターンを配置し、反転板８３ａを押圧して反転させた際に反転板８３ａの中央部分が前記もう一方の接点パターンに当接することで両接点パターン間がオンする構造に構成されている。
【００１７】
図９はケース１００の裏面図である。同図及び図３，図５に示すようにケース１００は合成樹脂を略矩形状に成形してなる一体成形品であり、この実施形態ではＡＢＳ樹脂（他の各種合成樹脂であっても良い）を用いている。ケース１００の上面中央部分は全体として上方向に突出してなる載置部１０１となっている。載置部１０１は全体として長円形状であってその表面は全体として略平面状になっている。ここで「長円」とは、この明細書においては、半径の等しい二つの円を共通外接線でつないだ形をいうものとする。以下の文章においても同様である。ケース１００の載置部１０１の周囲の上面１００ａから載置部１０３の表面１０３ａまでの高さ寸法は、下記する外装ケース１８０に設けた開口部１８３の高さ（厚み）寸法よりも若干短い寸法となっている。載置部１０１は第１，第２，第３載置部１０１ａ，１０１ｂ，１０１ｃの３つの部分に分割され、中央の第２載置部１０１ｂはその両側の第１，第３載置部１０１ａ，１０１ｃにそれぞれ可撓性連結アーム１０５によって連結されている。中央の載置部１０１は両可撓性連結アーム１０５の部分が撓むことで、上下動自在に構成される第１操作体１０７となっている。即ち第２載置部１０１ｂは第１操作体１０７でもある。第１操作体１０７（即ち第２載置部１０１ｂ）は矩形状であり、その下面中央には柱状に突出する押圧部１０９が設けられている。第１操作体１０７には真上から見て可撓性連結アーム１０５が点対称に取り付けられている。両可撓性連結アーム１０５は帯状の薄板であってその長さを確保するため、載置部１０１の長手方向に直交する方向に向けて延びていてその両端をそれぞれ反対方向に直角に屈曲して隣り合う載置部の側壁に連結している。各可撓性連結アーム１０５の上面も載置部１０１の上面と同一面となって載置部１０１の一部を構成している。
【００１８】
ケース１００の下面には前記第２操作体５０及び第１スイッチ板８０全体を収納する凹状の操作体収納部１１１が設けられ、その一部は前記第１操作体１０７が露出する上下に貫通する開口部１１３となっている。開口部１１３は図９に示すように第１操作体１０７及び両可撓性連結アーム１０５全体に対向する部分全体に矩形状に形成されている。即ち開口部１１３は第１操作体１０７が下降した際にその全体が開口部１１３内（即ち操作体収納部１１１内）に挿入されるように形成されている。また操作体収納部１１１内の開口部１１３に隣接する部分（第３載置部１０１ｃの真下の部分）の底面は操作体取付部１１５となっており、操作体取付部１１５の面からは２本の柱状の突起からなる取付部１１７が下方向に向けて突設されている。両取付部１１７は前記第２操作体５０の両取付孔５７に挿入できる寸法に形成されている。またケース１００の前記操作体取付部１１５近傍位置の外周側壁下面には、２つの切り欠き状（凹状）の基板ガイド溝１１８，１１９が形成されている。基板ガイド溝１１９はケース１００の外周側壁の下面から外側面を介して載置部１０１ｃの上面まで至っている。基板ガイド溝１１８は前記第２スイッチ板３０に接続されている第２引出部３９を収納ガイドするものであり、基板ガイド溝１１９は第３，第４引出部４１，４５を収納ガイドするものである。またケース１００下面の前記取付板１０の各ケース取付穴１１に対向する位置にはそれぞれこれらケース取付穴１１に挿入される小突起状の係合取付部１２１が設けられている。
【００１９】
図３、図５に示す１３１，１３３，１３５は両面接着シートであり、それぞれ前記ケース１００の第１，第２，第３載置部１０１ａ，１０１ｂ，１０１ｃの上面と略同一形状に形成されている。
【００２０】
シート状スイッチ１４０は２枚のフレキシブル回路基板１４１，１４３を重ね合せることで３つのスイッチ（いわゆるメンブレンスイッチ）１４５，１４７，１４９を直線状に一列に設けて構成されている。シート状スイッチ１４０は帯状で矩形状であり、前記ケース１００の載置部１０１の上面に略ぴったり載置できる寸法形状に形成されている。３つのスイッチ１４５，１４７，１４９はそれぞれケース１００の各載置部１０１ａ，１０１ｂ，１０１ｃ上に位置するように設けられており、それぞれの上面を軽く押圧することでスイッチがオンする。上下のフレキシブル回路基板１４３，１４１の短い側の一辺にはそれぞれ前記第３，第４引出部４１，４５が接続されている。
【００２１】
図８は、前記第２スイッチ板３０及び第１スイッチ板８０及びシート状スイッチ１４０を構成する一枚のフレキシブル回路基板２００を展開して示す平面図である。同図に示すように第２スイッチ板３０を構成するフレキシブル回路基板３１と第１スイッチ板８０を構成するフレキシブル回路基板８１とシート状スイッチ１４０を構成するフレキシブル回路基板１４１，１４３は一枚のフレキシブル回路基板２００を第２，第３，第４引出部３９，４１，４５によって連結することで構成されている。このフレキシブル回路基板２００はポリエチレンテレフタレート（ＰＥＴ）フイルムを用いて構成されているが、他の各種可撓性のある熱可塑性又は熱硬化性又は光硬化性の合成樹脂フイルム（例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等）で構成しても良い。
【００２２】
シート状スイッチ１４０を構成する両フレキシブル回路基板１４１，１４３は同一外形形状（長尺矩形状）に形成されており、一方のフレキシブル回路基板１４１の表面にはその略全長に渡って延びるコモンパターン１５１が形成され、もう一方のフレキシブル回路基板１４３の表面には中央とその両側の３ヶ所に３つのオンオフパターン１５３，１５５，１５７が形成されている。フレキシブル回路基板１４１のコモンパターン１５１を設けたその周囲の面と、フレキシブル回路基板１４３のオンオフパターン１５３，１５５，１５７を設けたその周囲の面には、これらパターン１５１，１５３，１５５，１５７よりも厚みの厚い絶縁材からなるスペーサ層１５９が形成されていて、両フレキシブル回路基板１４１，１４３を重ね合せた際にコモンパターン１５１とオンオフパターン１５３，１５５，１５７間に狭い隙間が形成されるようにしてメンブレンタイプの３つのスイッチ１４５，１４７，１４９が形成できるようにしている。なおフレキシブル回路基板２００上には図示しない回路パターンが形成されており、前記第１スイッチ８３用の接点パターンに接続される回路パターン，第２スイッチ３３用の接点パターンに接続される回路パターン，コモンパターン１５１及びオンオフパターン１５３，１５５，１５７に接続される回路パターンが第１引出部３７に引き出されている。
【００２３】
化粧シート１６０は可撓性を有する合成樹脂フイルム１６１の下面に接着層１６３を接着して構成されている。合成樹脂フイルム１６１の外形形状は前記ケース１００の載置部１０１の上面の外形形状と略同一形状であり、下記する外装ケース１８０の開口部１８３にぴったり挿入される外形形状（長円形状）に形成されている。合成樹脂フイルム１６１の材質はこの実施形態ではＰＣ又はＰＥＴを用いているが、他の各種材料であっても良い。合成樹脂フイルム１６１には所望の装飾（色彩・模様等）が施されている。
【００２４】
外装ケース１８０は合成樹脂（この例ではＡＢＳ樹脂を用いているが他の各種合成樹脂を用いても良い）を略長方形状（略長円形状）の板状に成形して構成されており、その下面には前記ケース１００を略ぴったり挿入する形状の凹部からなるケース収納部１８１が設けられている。外装ケース１８０の中央（ケース収納部１８１の中央）には上下に貫通して前記ケース１００の載置部１０１を略ぴったり挿入する略長円形状の開口部１８３が設けられている。外装ケース１８０下面のケース収納部１８１の両側の前記取付板１０の各外装ケース取付孔１３に対向する位置には、それぞれ外装ケース取付孔１３に挿入される小突起からなる係合取付部１８５が設けられている。また外装ケース１８０下面の前記第２スイッチ板３０の第１引出部３７に対向する部分には、第１引出部３７の厚み分凹んで第１引出部３７を収納ガイドする溝状の第１引出部収納部１８７が設けられている。
【００２５】
次に複合スイッチ１の組立方法を説明する。まず第１スイッチ板８０を第２操作体５０の上面に載置したものを、ケース１００の操作体収納部１１１内に収納する。その際ケース１００の一対の取付部１１７をそれぞれ第１スイッチ板８０の一対の挿通孔８５と第２操作体５０の一対の取付孔５７に挿入する。そして両取付部１１７の先端を第２操作体５０の凹部５９内において熱かしめし、これによってケース１００に第１スイッチ板８０と第２操作体５０とを取り付け、第１スイッチ板８０の第１スイッチ８３の反転板８３ａの上面中央に第１操作体１０７の押圧部１０９を当接又は近接させる。このとき第２スイッチ板３０及びフレキシブル回路基板１４１，１４３はケース１００の裏面側にある。
【００２６】
次に第２引出部３９の部分を第１スイッチ板８０の根元部分と第２スイッチ板３０の根元部分においてそれぞれ逆方向に折り返すことで、第２スイッチ板３０をケース１００の下面に設置し、その際ケース１００の各係合取付部１２１を第２スイッチ板３０の各取付部挿通孔３５に挿入する。このとき第２引出部３９が折り返されて表裏が逆になることでフレキシブル回路基板１４１が図８に示す状態から逆向きになり同時にフレキシブル回路基板１４１，１４３がコモンパターン１５１とオンオフパターン１５３，１５５，１５７とを対向した状態で重なり合い、シート状スイッチ１４０が形成される。このときシート状スイッチ１４０はケース１００の基板ガイド溝１１９の部分から外方に向けて突出している。
【００２７】
次に第２スイッチ板３０の下側に取付板１０を設置し、その際ケース１００の各係合取付部１２１を取付板１０の各ケース取付孔１１に挿入し、取付板１０の下面に突出する各係合取付部１２１の先端を熱かしめによって固定する。
【００２８】
次にケース１００の外方に引き出されているシート状スイッチ１４０を第３，第４引出部４１，４５の部分を折り返すことでケース１００の第１，第２，第３載置部１０１ａ，１０１ｂ，１０１ｃの上面に配置し、両面接着シート１３１，１３３，１３５によってシート状スイッチ１４０を載置部１０１に貼り付ける（正確には下側のフレキシブル回路基板１４１を貼り付ける）。そしてシート状スイッチ１４０の上面に化粧シート１６０を貼り付け（正確には上側のフレキシブル回路基板１４３を貼り付け）、その上に外装ケース１８０を被せ、そのとき外装ケース１８０の開口部１８３内にケース１００の突出する載置部１０１を挿入し、外装ケース１８０の上面と化粧シート１６０の上面とが略同一面に位置するようにする。そしてこのとき外装ケース１８０の各係合取付部１８５を取付板１０の各外装ケース取付孔１３に挿入し、取付板１０の下面から突出する各係合取付部１８５の先端を熱かしめによって固定すれば、複合スイッチ１が完成する。なお上記組立手順はその一例であり、他の各種異なる組立手順を用いて組み立てても良いことはいうまでもない。
【００２９】
図７は以上のようにして組み立てられた複合スイッチ１の概略側断面図である。同図及び図１，図２において、化粧シート１６０の上面の所定部分を例えば指で軽く触れて押圧すれば、直線方向に一列並べて形成した複数のスイッチ１４５，１４７，１４９の内の何れかが押圧されてオンする。各スイッチ１４５，１４７，１４９は第１，第２，第３載置部１０１ａ，１０１ｂ，１０１ｃ上に載置されているので、何れも確実にオンできる。また軽く押圧した指を前記化粧シート１６０上に軽く触れたままその表面を直線方向に摺動移動すれば、前記オンしていたスイッチがオフして別のスイッチ１４５，１４７，１４９がオンする。
【００３０】
一方中央のスイッチ１４７上の化粧シート１６０に軽く触れてこれをオンした状態で、そのままこれを下方向に押圧すると、まず第１操作体１０７の一対の可撓性連結アーム１０５が撓むことで第１操作体１０７全体が平行移動にて下降し、その押圧部１０９が第１スイッチ８３の反転板８３ａを反転し、クリック感覚を生じながらこれをオンする。さらに化粧シート１６０を下方向に押圧すると、第２操作体５０の可撓性連結アーム５５の部分が撓むことで載置兼駆動部５１が下降し、その押圧部５７が第２スイッチ３３を押圧してその反転板３３ａを反転し、クリック感覚を生じながらこれをオンする。前記中央のスイッチ１４７上の化粧シート１６０の押圧を解除していくと、上記とは逆の順番、即ち第２スイッチ３３、第１スイッチ８３、スイッチ１４７の順番でオフしていく。即ちケース１００と第１操作体１０７と第２操作体５０と第１スイッチ８３（第１スイッチ板８０）と第２スイッチ３３（第２スイッチ板３０）とによって二段スイッチ２２０が構成されている。
【００３１】
この複合スイッチ１は、例えば化粧シート１６０の上面を指等で触れて摺動することでデジタルスチルカメラ等のズーム機能を本件シート状スイッチ１４０にて果たし、化粧シート１６０の中央において本件二段スイッチ２２０を利用して化粧シート１６０を半押し（つまり本件第１スイッチ８３をオン）することでまずピントを合せ、さらに化粧シート１６０を全押し（つまり本件第２スイッチ３３をオン）することでシャッターを切る、等の操作用スイッチ等として利用することができる。
【００３２】
以上説明したように複合スイッチ１は、フレキシブル回路基板１４１，１４３に複数のスイッチ１４５，１４７，１４９を一列に並べて形成し、各スイッチ１４５，１４７，１４９の表面を押圧することでそのスイッチ１４５，１４７，１４９のオンオフを操作する構造のシート状スイッチ１４０、及び上面にシート状スイッチ１４０を載置する載置部１０１を有するケース１００と、ケース１００の載置部１０１の所定位置に取り付けられてケース１００に対して上下動する第１操作体１０７と、第１操作体１０７の下面側に設置されてケース１００に対して上下動する第２操作体５０と、第２操作体５０の上面の第１操作体１０７に設けた押圧部１０９に対向する位置に設置される第１スイッチ８３と、第２操作体５０の下面に設けた押圧部５７に対向する位置に設置される第２スイッチ３３とを有してなる二段スイッチ２２０と、を具備し、シート状スイッチ１４０の押圧を介して二段スイッチ２２０を押圧操作する構造に構成されている。これによって複数のスイッチ１４５，１４７，１４９を一列に並べて配置したシート状スイッチ１４０の下部に、シート状スイッチ１４０の上から押圧することで操作できる二段スイッチ２２０を設置してなる構造の複合スイッチ１を提供できる。しかもシート状スイッチ１４０を載置するケース１００に第１操作体１０７と第２操作体５０とを取り付けて二段スイッチ２２０を構成したので、構造が簡単で、小型化・薄型化が図れる。また第１，第２操作体１０７，５０によってそれぞれ第１，第２スイッチ８３，３３を押圧するので、二段スイッチ２２０を構成する各スイッチ８３，３３の押圧操作が確実になり、また押圧操作感覚が良好になる（第１操作体１０７や第２操作体５０を省略して第１，第２スイッチ８３，３３を重ね合せて二段スイッチを構成すると、第１，第２スイッチ８３，３３の押圧操作感触が悪くなったり、確実にスイッチをオンオフ操作できなくなる恐れがある）。
【００３３】
また複合スイッチ１は、第１操作体１０７がその両側の載置部１０１（１０１ａ，１０１ｃ）の部分と可撓性連結アーム１０５，１０５によって連結されてケース１００と一体成形されているので、部品点数が減少し、またケース１００への第１操作体１０７の取付作業が不要になり組み立てが容易になる。また第１操作体１０７はその両側の載置部１０１（１０１ａ，１０１ｃ）の部分に連結されているので、第１操作体１０７を押圧した際に傾くことなくこれを容易且つ確実に下降させることができ、第１スイッチ８３を確実にオンさせることができる。また第２操作体５０がケース１００の下面側に設けた操作体収納部１１１内に収納して設置されているので厚みの薄型化が図れる。
【００３４】
また複合スイッチ１は、ケース１００上に設置される外装ケース１８０を具備し、外装ケース１８０は、シート状スイッチ１４０上に取り付けた可撓性を有する化粧シート１６０を露出する開口部１８３を有し、一方ケース１００はその上面から載置部１０１の部分を突出しており、この突出している載置部１０１を外装ケース１８０の開口部１８３内に挿入することで化粧シート１６０と外装ケース１８０の表面とを略同一面としているので、容易に化粧シート１６０と外装ケース１８０の表面とを略同一面にすることができ、デザイン上良好になるばかりか、化粧シート１６０の表面に容易に触れてこれを操作することができるようになる。もし化粧シート１６０の表面を外装ケース１８０の表面より低くすると、化粧ケース１６０を押圧しにくくなって操作性が良くない。逆に化粧シート１６０の表面を外装ケース１８０の表面より高くすると、複合スイッチ１の厚さ寸法が厚くなってしまう。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記第２スイッチ板３０を構成するフレキシブル回路基板３１や、第１スイッチ板８０を構成するフレキシブル回路基板８１の代わりに、積層板等からなる硬質の回路基板等を用いても良い。その場合、取付板１０は省略しても良い。また上記実施形態では第１，第２スイッチ８３，３３として一対の接点パターン上に反転板８３ａ，３３ａを設置した構造のスイッチを用いたが、これら第１，第２スイッチ８３，３３を、シート状スイッチ１４０の各スイッチ１４５，１４７，１４９のように、２枚のフレキシブル回路基板に設けた接点パターンを隙間を介して対向させてなるメンブレンスイッチで構成しても良い。また逆に各スイッチ１４５，１４７，１４９を第１，第２スイッチ８３，３３のような構造のスイッチで構成しても良い。
【００３６】
また上記実施形態ではシート状スイッチ１４０に設けた中央のスイッチ１４７の真下に二段スイッチを配置したが、二段スイッチは左右に偏った位置にあるスイッチ１４５，１４９の真下に配置しても良く、さらに各スイッチ１４５，１４７，１４９の真下ではなくそれらの中間位置の真下に配置しても良い。また上記実施形態ではシート状スイッチ１４０に設けるスイッチ１４５，１４７，１４９を一列に直線状に並べたが、曲線状に並べても良く、また二列や互い違いに配置しても良い。また上記例では第１，第２操作体１０７，５０に設ける押圧部１０９，５７を突部としたが、突部でなく平面の中の一点としてもよい。
【図面の簡単な説明】
【００３７】
【図１】複合スイッチ１を上側から見た斜視図である。
【図２】複合スイッチ１を下側から見た斜視図である。
【図３】複合スイッチ１（その上側の部品）を上側から見た分解斜視図である。
【図４】複合スイッチ１（その下側の部品）を上側から見た分解斜視図である。
【図５】複合スイッチ１（その上側の部品）を下側から見た分解斜視図である。
【図６】複合スイッチ１（その下側の部品）を下側から見た分解斜視図である。
【図７】複合スイッチ１の概略側断面図である。
【図８】フレキシブル回路基板２００を展開して示す平面図である。
【図９】ケース１００の裏面図である。
【符号の説明】
【００３８】
１  複合スイッチ
１０  取付板（取付部材）
３０  第２スイッチ板
３３  第２スイッチ
５０  第２操作体
５７  押圧部
８０  第１スイッチ板
８３  第１スイッチ
１００  ケース
１０１  載置部
１０５  可撓性連結アーム
１０７  第１操作体
１０９  押圧部
１１１  操作体収納部
１４０  シート状スイッチ
１４１，１４３  フレキシブル回路基板
１４５，１４７，１４９  スイッチ
１６０  化粧シート
１８０  外装ケース
１８３  開口部
２２０  二段スイッチ
【図１】
0004808700.tif 000002
【図２】
0004808700.tif 000003
【図３】
0004808700.tif 000004
【図４】
0004808700.tif 000005
【図５】
0004808700.tif 000006
【図６】
0004808700.tif 000007
【図７】
0004808700.tif 000008
【図８】
0004808700.tif 000009
【図９】
0004808700.tif 000010